(57)【特許請求の範囲】
【請求項１】
追記可能なディスクにおける書込み途中のディスクのプログラムエリアに記録された情報を再生および早送りする再生手段と、
前記プログラムエリアに記録された最後の情報を示す最終トラック番号を記憶する記憶手段と、
前記記憶された最終トラック番号に基づいて前記再生手段を制御する制御手段と、
前記プログラムエリアに記録された情報の再生または早送り中に、前記プログラムエリアにおける最後の情報が記録されたエリア以降のエリアに、当該最後の情報の次の情報を示すトラック番号を検出する検出手段と、
前記次の情報を示すトラック番号が検出されたときに、前記記憶手段に対して前記検出されたトラック番号を最終トラック番号に更新する更新手段と、
を備えたことを特徴とするＣＤ再生装置。
【発明の詳細な説明】
【０００１】
【産業上の利用分野】
本発明は、ＣＤ（Compact Disk）再生装置に係わり、特に追記可能なＣＤ−Ｒ（ＣＤ Recordable ）の書込み途中のディスクを再生可能なＣＤ再生装置に関する。
【０００２】
【従来の技術】
従来より、音響情報等を記録する記録媒体としてＣＤが知られている。このＣＤには、図３（１）に示すように、ディスクの内周から、記録情報の索引情報が記録されたリードイン（Lead IN ）エリアと、実際の音楽情報などを記録しているプログラムエリアと、プログラムエリアの終了を示すリードアウト（Lead OUT）エリアとが順次形成されている。記録される信号はＥＦＭ（Eight to Fourteen Modulation）という方法により変調されたディジタル信号であり、音楽情報などのようなメインコード（主情報）の他にタイムコード（時間情報）等のサブコードが含まれている。リードインエリアには、ＴＯＣ（Table Of Contents ）と呼ばれる索引情報が記録され、ディスクのプログラムエリアに記録された総記録情報片数（例えば、総曲数）、総記録時間（例えば、総演奏時間）等がサブコードとして記録される。プログラムエリアにはメインコードとしての音楽情報等が記録されるほか、サブコードのＱチャンネルには、記録情報片番号（例えば、曲番号）を示すトラック番号（ＴＮＯ）、トラック開始からの記録時間（Ｐ−ＴＩＭＥ：例えばその曲の演奏時間）、トラック番号＝１から計測される総記録時間（Ａ−ＴＩＭＥ：例えば総演奏時間）等が記録される。リードアウトエリアにおいては、リードアウトエリアであることを示すリードアウトコードが記録される。
【０００３】
上記ＣＤを再生するＣＤ再生装置では、通常の再生においては内周から外周に向けて順次プログラムエリアの記録情報の読み取りが行われて再生が行われる。従来、このような再生または早送り（ＦＦ）時のプログラムエリアの記録情報の最後（以下「ディスクＥｎｄ」という）の検出管理は、あらかじめＴＯＣ情報からプログラムエリアに記録されている情報の最後のトラック番号（ＬＴＮＯ）を記憶管理するとともに、
一．リードアウトエリアを検出したとき、
二．ＬＴＮＯより大きいトラック番号を検出したとき、
にディスクＥｎｄと判定していた。
【０００４】
図４に、従来における再生時のディスクＥｎｄ判定処理のフローチャートを示す。すなわち、再生中には情報が読み出されるにしたがってサブコードが順次読み取られる。まず、今得たサブコードとその前に得たサブコードとを比較し（ステップＳ５０）、等しければまたステップＳ５０を繰り返し、等しくなければ前サブコードの記憶エリアに今のサブコードを記憶する（ステップＳ５１）。そして次に、サブコード情報からリードアウトエリアに入ったか否かを判定し（ステップＳ５２）、リードアウトエリアに入っていればディスクＥｎｄと判定して、次の処理であるプログラムエリアの最内周に記録されている最初のトラック番号（ＦＴＮＯ）の情報（ディスクエッジ）にピックアップ２を移動する制御処理に行き、リードアウトエリアに入っていなければサブコードに示される今のトラック番号とＬＴＮＯとの比較を行う（ステップＳ５３）。今のトラック番号がＬＴＮＯよりも小さいか等しい場合にはステップＳ５０へ行って繰り返し、大きい場合にはディスクＥｎｄと判定して、ステップＳ５２のときと同様に次の処理へ行く。このように従来のＣＤ再生装置ではディスクＥｎｄの判定を行っていた。
【０００５】
ところで、上述したような記録フォーマットを有するＣＤは、再生専用の記録媒体であるが、近年ＣＤと同様のフォーマットを採用しながら情報の追記を可能にしたＣＤ−Ｒが開発された。
【０００６】
このＣＤ−Ｒの記録フォーマット規格は通称「オレンジブック」と呼ばれる規格に統一されており、ＣＤフォーマット規格（通称レッドブック）に準拠している。このＣＤ−Ｒのディスクは、図４（２）▲１▼〜▲３▼に示すように、その記録状態により３つに分けられる。すなわち、▲１▼まだ情報を記録していない未記録状態であるブランクディスク、▲２▼情報が一部分書き込まれた書込み途中のディスク（Partially Recorded Disc ；以下「ＰＲＤ」という）、▲３▼記録を完了させてＣＤとほぼ同じフォーマットにするために最終的にフォーマッティングされた書込済ディスク（Finalized Disc）、である。同図に示すように、ＣＤ−Ｒにおいてもリードインエリア、プログラムエリア、およびリードアウトエリアがＣＤと同様に最終的にフォーマッティングされる。
【０００７】
また、ＣＤ−Ｒの記録トラックには案内溝が形成されており、この案内溝は搬送波を絶対時間情報を示すデータ（ＡＴＩＰ：Absolute Time In Pregroove）でＦＭ変調した周波数によりウォブリング（蛇行）されている。ＣＤ−Ｒの記録再生装置では、その案内溝によりトラッキングおよびスピンドル制御をすることにより、ブランクディスクや書込み途中であるＰＲＤに対して、記録および再生を行うようになされている。また、ＰＲＤには、図４（２）▲２▼に示すように、リードインエリアＩのさらに内周に、記録情報の記録履歴を格納する仮のＴＯＣの領域としてＰＭＡ（Program Memory Area ）が設けられている。このＰＭＡには以下の３種類の情報が記録される。第１はプログラムエリアに記録された記録情報の開始アドレス、終了アドレスなどでありこれらはＣＤのリードインエリアに記録されるＴＯＣ情報と同様のフォーマットで記録される。第２はディスク識別情報（オプション）であり、必要に応じディスク識別のための６桁（６ディジット）の数字情報が記録可能である。第３はスキップ命令情報およびスキップ解除情報であり、ディスク再生時にトラックごと、またはトラック内の一部（時間指定可）をスキップさせることができる情報である。ＰＭＡに仮のＴＯＣとしてこのような情報を記録するのは、ＰＲＤにおいては、残りのプログラムエリアに情報が追記される可能性があるため、最終的に記録完了（ファイナライズ）が指示されるまではＴＯＣ情報をリードインエリアに記録することができないためである。
【０００８】
また、ＰＲＤでは、リードインエリアＩとリードアウトエリアＯには何も情報は書き込まない状態にされている。したがって、それぞれのエリアは鏡面仕上げの状態にされたままとなっている。ＣＤ−Ｒの記録装置では、ファイナライズが指示されることにより、最終的にＣＤと同じフォーマットにするために、リードインエリアＩに所定の情報とＰＭＡに記録されているＴＯＣ情報をサブコードとして記録し、リードアウトエリアＯにもそのエリアを示す所定の情報をサブコードとして記録する。これにより従来のＣＤ再生装置では、このファイナライズされたＣＤ−Ｒの再生が可能になっていた。
【０００９】
【発明が解決しようとする課題】
上述したように追記可能なＣＤ−Ｒが開発され利用されてきているが、従来のＣＤ再生装置では、最終的にファイナライズされたＣＤ−Ｒは再生できるものの、書込み途中のＰＲＤについては、プログラムエリアに再生可能な情報が記憶されているにもかかわらず、その情報が再生できるようにはされていなかった。というのも前述したように、ＰＲＤではＴＯＣをリードインエリアの内周側に設けられたＰＭＡに記録するようにしているが、従来のＣＤ再生装置ではそのＰＭＡへアクセスするための機構が備えられていなかった。また、リードインエリアおよびリードアウトエリアも鏡面仕上げのままであり、従来のＣＤ再生装置ではそのエリアへの読取りにおいてサーボ系が暴走してしまうなど、読取り制御の対応がなされていなかった。
【００１０】
そこで、本出願人は、ＣＤ−Ｒの利用範囲を広げるべく、ＴＯＣが読み取れなく、しかもリードインエリアおよびリードアウトエリアが鏡面仕上げとなっているＰＲＤに対応して、制御的な変更のみでそのプログラムエリアの再生が可能なＣＤ再生装置を開発した。
【００１１】
しかしながら、従来のＣＤ再生装置においてＰＲＤを再生する場合には、ＴＯＣ情報が読み取れないので記録情報の最後のトラック番号ＬＴＮＯをあらかじめ得ることができない。そのためサーチして得るようにされていたが、サーチした情報の最後のトラック番号ＬＴＮＯを、そのサーチ中にディスク中の傷や振動等により、誤って実際に記録されている情報の最後のトラック番号より小さく認識して記憶設定してしまった場合には、前述したように従来のＣＤ再生装置では、それ以降に記録情報があったとしてもその記憶しているトラック番号によりディスクＥｎｄと判定してしまい、一度記憶設定されたＬＴＮＯ以降の記録情報は再生できなくなっていた。たとえば、音楽が９曲記録されているＰＲＤに対して、プロテクション等により８曲入りと判定してしまった場合には、従来においては９曲目のトラック番号を検出した時点でトラックＥｎｄと判定してしまい、９曲目を再生することができなかった。
【００１２】
本発明は、このような課題に鑑みてなされたもので、ＣＤ−Ｒの追記可能なディスク再生において、記憶した最後の情報を示すトラック番号に対応するエリア以降に記録情報がある場合にその最後のトラック番号を更新するようにして、記録されている情報の全てが再生可能となるＣＤ再生装置を提供することを目的としている。
【００１３】
【課題を解決するための手段】
上記課題を解決するための本発明のＣＤ再生装置は、追記可能なディスクにおける書込み途中のディスクのプログラムエリアに記録された情報を再生および早送りする再生手段と、前記プログラムエリアに記録された最後の情報を示す最終トラック番号を記憶する記憶手段と、前記記憶された最終トラック番号に基づいて前記再生手段を制御する制御手段と、前記プログラムエリアに記録された情報の再生または早送り中に、前記プログラムエリアにおける最後の情報が記録されたエリア以降のエリアに、当該最後の情報の次の情報を示すトラック番号を検出する検出手段と、前記次の情報を示すトラック番号が検出されたときに、前記記憶手段に対して前記検出されたトラック番号を最終トラック番号に更新する更新手段と、を備えて構成する。
【００１４】
【作用】
本発明のＣＤ再生装置では、通常のＣＤを再生するときには従来と同様に、ＴＯＣに記録されている情報により、プログラムエリアに記録された最後の情報を示すトラック番号を記憶設定するが、ＣＤ−Ｒの書込み途中のディスクなど追記可能なディスクの再生においては、最後の情報を示すトラック番号がサーチにより一度設定されても、ディスクＥｎｄ更新手段により、その最後の情報を示すトラック番号よりもさらに次の情報の存在を示すトラック番号を検出したときには、その検出したトラック番号を最後の情報を示すトラック番号として更新する。
【００１５】
【実施例】
以下、図面を参照して本発明の実施例を説明する。
図１に、本発明を適用するＣＤ再生装置の基本構成ブロック図を示す。
【００１６】
同図に示すようにＣＤ再生装置は、ディスクＤを回転駆動するスピンドルモータ１と、レーザースポットをディスクＤ上のピットに照射しその反射光を光電変換してＲＦ信号を再生するピックアップ２と、ピックアップ２をディスクＤの半径方向に移動させて情報トラックに位置決めするサーボメカ３と、ピックアップ２におけるレーザ光の出力を一定に保つオート・パワー・コントローラ（ＡＰＣ）４と、スピンドルモータ１、ピックアップ２、およびサーボメカ３をサーボ制御するサーボ部５と、ピックアップ２から再生されたＲＦ信号を増幅するとともにサーボ部５へのサーボ制御信号を生成するプリアンプ部６と、プリアンプ部６により増幅されたＲＦ信号をＥＦＭにより復調して誤り訂正などの信号処理を行いオーディオデータを再生するとともに、サブコーティングからコントロールデータをも再生するデコーダ部７と、デコーダ部７において生成されたオーディオデータをＤ／Ａ変換してオーディオ出力を生成するＤ／Ａコンバータ部８と、動作状態等を表示するとともに操作指示を入力する表示・操作部９と、マイクロプロセッサ、メモリ等から成り装置全体を制御するシステムコントローラ部１０と、を備えて構成されている。
【００１７】
上記構成において、システムコントローラ部１０は、ディスクＤが再生専用のＣＤの場合には、リードインエリアにアクセス制御してデコーダ部７を介してＴＯＣ情報を入力してその情報を記憶し、従来と同様にそのＴＯＣ情報の中から、プログラムエリアに記録された情報の最後を示すトラック番号ＬＴＮＯを記憶設定する。一方、ディスクＤが、ＣＤ−Ｒの情報書込み途中のディスクであるＰＲＤである場合にはＴＯＣ情報が得られないため、プログラムエリアの最後の情報を示すトラック番号ＬＴＮＯは、表示・操作部９からアクセスを指示する入力があったときに、プログラムエリアの最後の情報をサーチしてその情報のトラック番号をＬＴＮＯとしてその情報のサブコードを記憶設定する。プログラムエリアの最後は、鏡面仕上げの有無により判定される。そして、その設定以後は再生または早送り中に、ディスクＥｎｄ更新手段の処理として再生する情報のサブコードを監視してＬＴＮＯとの比較を行い、ＬＴＮＯよりも大きいトラック番号を示すサブコードを検出したときにはＬＴＮＯの更新処理を行う。
【００１８】
図２に、システムコントローラ部１０の再生中におけるディスクＥｎｄ更新手段としての処理のフローチャートを示す。
同フローチャートによりディスクＥｎｄ更新手段としての処理を説明すると、まず再生ディスクがＰＲＤであるか否かを判定して（ステップＳ１）、ＰＲＤでなければステップＳ４に行き従来と同様の処理を行う。ＰＲＤであれば今読み取り中の情報のサブコードをデコーダ部７を介して得て、最後の情報として設定されている記憶サブコード中のＬＴＮＯと比較し、今のサブコード中のトラック番号がＬＴＮＯより大きいか否かを判定する（ステップＳ２）。大きくない場合にはステップＳ４の処理に行き、大きい場合には記憶してあるサブコードを今のサブコードに書き換えて、最終曲番（ＬＴＮＯ）とその絶対時間の最大を更新して記憶する（ステップＳ３）。そして、従来と同様に今得たサブコードとその前に得たサブコードとを比較し（ステップＳ４）、等しければステップＳ１から繰り返し、等しくなければ前サブコードの記憶エリアに今のサブコードを記憶する（ステップＳ５）。そして次に、リードアウトエリアに入ったか否かを判定する（ステップＳ６）。再生専用のディスクの場合にリードアウトエリアに入っていればディスクＥｎｄと判定して次の処理に行く。リードアウトエリアに入っていなければ今のトラック番号とＬＴＮＯとの比較を行う（ステップＳ７）。今のトラック番号がＬＴＮＯよりも小さいか等しい場合にはステップＳ１へ行って繰り返し、大きい場合にはディスクＥｎｄと判定して次の処理へ行く。
【００１９】
このように本実施例のＣＤ再生装置では、ＰＲＤの再生において一度設定した最後の情報を示すトラック番号が更新されるため、最後の情報をサーチしたときに傷や振動等によって鏡面と判断するなどして、誤ってトラック番号を実際に記録されている最後の情報のトラック番号よりも小さく設定した場合に、再生中にそれ以後の情報の存在が検出されたときに最後の情報を示すトラック番号が更新されるため、それ以後のサーチにおいてはアクセスが可能となる。たとえば、９曲記録されているＰＲＤの再生において、プロテクション等により８曲の記録と判定してしまっても、再生において９曲目が検出されれば最後の情報のトラック番号が更新されるため、それ以後のサーチによる再生が可能となる。なお、早送りはトラックジャンプにより行われるが、その場合でも随時サブコードが読み取られ、再生時と同様に更新が行われる。
【００２０】
【発明の効果】
以上説明したように、本発明のＣＤ再生装置によれば、ＣＤ−Ｒの情報書込み途中のディスクの再生において、一度設定された最後のトラック番号以降に記録情報がある場合にその最後のトラック番号が更新され、それ以後はサーチが可能になるため、誤って最後の情報を示すトラック番号を小さく設定してしまっても、記録情報の全ての再生を可能にする効果を奏する。
【図面の簡単な説明】
【図１】本発明の実施例の基本構成を示すブロック図である。
【図２】本発明の一実施例のディスクＥｎｄ更新手段の処理フローチャートである。
【図３】ＣＤとＣＤ−Ｒの説明図である。
【図４】従来におけるディスクＥｎｄ判定処理のフローチャートである。。
【符号の説明】
Ｄ…ディスク
１…スピンドルモータ
２…ピックアップ
３…サーボメカ
４…オート・パワー・コントローラ（ＡＰＣ）
５…サーボ部
６…プリアンプ部
７…デコーダ部
８…ＤＡコンバータ部
９…表示・操作部
１０…システムコントローラ部
【図１】
0003770560.tif 000002
【図２】
0003770560.tif 000003
【図３】
0003770560.tif 000004
【図４】
0003770560.tif 000005